(57)【要約】      （修正有）【課題】固定されたテーブル状の設置物を利用し、テーブル天板に連結して配置された手すりを伝って移動をすることにより、歩行障害者等が屋内外において転倒することを防止する部材を提供する。【解決手段】要歩行支援者の移動をサポートする移動サポート部材であって、前記移動サポート部材は固定されたテーブル状設置物の天板４１０の外周と一定間隔を保持して設置されたガイド部２００と、前記ガイド部と前記天板とを連結する取付け部３００により構成され、前記ガイド部は、前記要歩行支援者が指向する１又は複数の移動方向に沿った前記外周の１辺又は複数辺の少なくとも全長にわたって配置され、前記取付け部は、前記ガイド部の最下部から下方に湾曲又は折れ曲がって前記天板の下面に直接又は前記天板下面に配設する付属部材４２０を介して連結する。【選択図】図４
2019216952.tif 000002
【特許請求の範囲】
【請求項１】
要歩行支援者の移動をサポートする移動サポート部材であって、前記移動サポート部材は固定されたテーブル状設置物の天板の外周と一定間隔を保持して設置されたガイド部と、前記ガイド部と前記天板とを連結する取付け部により構成され、
前記ガイド部は、前記要歩行支援者が指向する１又は複数の移動方向に沿った前記外周の１辺又は複数辺の少なくとも全長にわたって配置され、前記取付け部は、前記ガイド部の最下部から下方に湾曲又は折れ曲がって前記天板の下面に直接又は前記天板下面に配設する付属部材を介して連結することを特徴とする移動サポート部材。
【請求項２】
前記ガイド部は、外部掛止部材と連結可能な掛着部を形成すると共に前記移動方向に伸張可能な伸縮機構を有することを特徴とする請求項１に記載の移動サポート部材。
【請求項３】
前記ガイド部は、前記外部掛止部材と連結可能な前記掛着部を形成すると共に前記ガイド部を前記移動方向と異なる方向に回動可能な回動機構を有し、かつ、前記ガイド部の一部又は前記ガイド部と前記取付け部との連結部は離着可能であることを特徴とする請求項１又は請求項２に記載の移動サポート部材。
【請求項４】
前記外周の複数辺に対応して設置された隣接する前記ガイド部の端部どうしが連結している場合に、前記端部どうしの連結部分が前記回動機構又は前記離着機構の少なくともいずれか１つの機構を有していることを特徴とする請求項１ないし請求項３のいずれか１項に記載の移動サポート部材。
【請求項５】
前記回動機構において少なくとも１の回動機構は離着機構も併せて有し、かつ、前記離着機構において少なくとも１の離着機構は回動機構も併せて有することを特徴とする請求項３又は請求項４に記載の移動サポート部材。
【発明の詳細な説明】
【技術分野】
【０００１】
本発明は、人の歩行を補助し転倒を予防する技術に関する。
【背景技術】
【０００２】
高齢化社会の到来に伴い、脳卒中の後遺症、筋肉の衰えによるサルコペニア、膝・股関節の疾患等による歩行障害者が増加している。不安定な歩行は転倒リスクを高めるが、高齢者の転倒は骨折につながりやすく、要介護状態となったり、重大な場合は寝たきりになる危険性を有していることから、転倒をどのように予防するかは高齢化社会における重要なテーマの１つとなっている。
【０００３】
転倒は身近な場所で起きることも多い。自宅周辺の庭や玄関先の凹凸や滑りやすさが転倒の原因となる場合がある。
【０００４】
屋内での転倒事故も多く、特に高齢者では、平坦な居間や台所における僅かな高低差に基づく転倒事故が意外に多い。転倒を防止するため、高齢者の自宅内の手すりの設置は進んでいるが、段差のある場所や壁から近い場所である階段、風呂、トイレ、廊下、玄関等を中心に設置しているケースが多く、比較的広い空間である居間・食堂、寝室、台所等に設置しているケースは少ない。近くに背の高い家具等のある台所等では手すりの代わりに家具等につかまって移動することが可能であるが、居間・食堂や寝室等においては壁から遠く、手すりやつかまる物のない状態で移動せざるを得ないこととなる。  
【０００５】
居間や食堂には中央部に食卓テーブルや応接テーブルが、寝室にも机が設置されていることが多いが、一定重量と一定の大きさがある食卓テーブル、応接テーブル、机を適切に活用することができれば、居間や食堂における移動を補助することが可能となる。又、庭には屋外テーブル等が設置されている場合もあり、このような固定された設置物を利用して要歩行支援者の移動をサポートする技術は、屋内に限定されず、屋外でも利用可能である。
【０００６】
家具を用いて歩行訓練を行なう技術として、歩行訓練用手すりを着脱可能にベッド等家具の脚等に固定する技術が提案されている。（特許文献１）しかし、この技術は、歩行訓練者の起立及び歩行訓練をするための技術であり、家具の外側を移動する歩行者の歩行を補助するものではない。また、その目的に沿って、手すりを家具の脚又は車輪に連結して固定しており、家具の天板と連結するものではない。
【０００７】
又、安全に歩行訓練を行なうための技術として、リハビリ用歩行車の天板に貫通孔を設けて歩行者がその孔に指を掛けつつ歩行するという技術が提案されている。（特許文献２）しかし、この技術は歩行者が家具と一緒に移動することを前提としており、固定された家具の外周を利用しつつ安定した移動を補助するというものではない。
【０００８】
又、歩行訓練のためにテーブルの周縁に手すりを設けた技術が提案されている。（特許文献３）しかし、この技術は歩行訓練のためにテーブル周縁に設置した手すりを利用してテーブル自体の周縁を廻るものであり、テーブルを利用して居間・食堂内又は他の部屋への移動を補助する技術ではない。また、手すりを深く握ると手が天板に連結する支持片に接触することから、手すりをしっかり握って転倒を防止するという観点からは十分な技術とは言えない。
【先行技術文献】
【特許文献】
【０００９】
【特許文献１】特開２００８−１４９１０２号公報
【特許文献２】特開２００３−１５３７４４号公報
【特許文献３】特開２００３−２２０１０３号公報
【発明の概要】
【発明が解決しようとする課題】
【００１０】
本発明は、固定されたテーブル状の設置物を利用し、テーブル天板に連結して配置された手すりを伝って移動をすることにより、歩行障害者等が屋内外において転倒することを防止する部材を提供することを目的とする。
【課題を解決するための手段】
【００１１】
上記課題を解決するため、本発明により、要歩行支援者の移動をサポートする移動サポート部材であって、前記移動サポート部材は固定されたテーブル状設置物の天板の外周と一定間隔を保持して設置されたガイド部と、前記ガイド部と前記天板とを連結する取付け部により構成され、前記ガイド部は、前記要歩行支援者が指向する１又は複数の移動方向に沿った前記外周の１辺又は複数辺の少なくとも全長にわたって配置され、前記取付け部は、前記ガイド部の最下部から下方に湾曲又は折れ曲がって前記天板の下面に直接又は前記天板下面に配設する付属部材を介して連結することを特徴とする移動サポート部材が提供される。
【００１２】
屋内においては比較的広いスペースを有する居間・食堂には中央部に応接テーブルや食卓テーブルが固定されている場合が多く、寝室にも机が固定されている場合がある。屋外にもガーデンテーブル等が置かれている場合がある。「テーブル」とは、一般的に、扁平な板に四脚ないし中央に一脚をもつ洋家具の総称とされるが、本発明における「テーブル状設置物」とは、ワゴンや植木置き台のような、固定され上部に扁平な板部を有する設置物も含まれる広い概念である。又、上部の扁平な板は「天板」と称する。
【００１３】
移動サポート部材は、テーブル状設置物の天板外周のうち、要歩行支援者が目指す移動方向に沿った外周部分に対応して配置される。本発明の目的は歩行訓練補助具の提供ではなく、対象者の屋内外の移動をサポートするものなので、必ずしもテーブル全周にわたり移動サポート部材を配置する必要はなく、目指す移動方向を考慮して適宜必要な位置に配置される。四角のテーブルであって、目指す移動先が一箇所であれば、その移動先への方向に沿った一辺にのみ対応した移動サポート部材が配置されれば足りる。目指す移動先が二箇所であれば、その移動先への方向に沿った適切な二辺に対応した移動サポート部材が配置される。目指す移動先が多い場合は、テーブル天板の四辺、すなわち外周すべてに移動サポート部材が配置される。テーブルが円形や楕円形であれば、目指す移動先への方向に沿った外周曲線辺に対応して移動サポート部材が配置される。
【００１４】
移動サポート部材を構成するガイド部は目指す移動先への方向に沿った天板外周の全長にわたって設置される。すなわち、対象となる天板外周のどの部分に対してもガイド部が対応した状態で設置され、対象となる天板外周の一部に対応するガイド部が欠けている配置となることはない。ガイド部と天板との連結方法によっては断続的にガイド部が設置される場合が生じるが、本発明は移動をサポートするという目的から、対象となる天板外周の全長にわたり切れ目なくガイド部を配置することとした。なお、「少なくとも」とは、移動をより適切にサポートするため、対象となる天板外周の長さを超えたガイド部を配置する場合があることを意味する。
【００１５】
移動サポート部材を構成するガイド部の平面形状はテーブル天板の外周に対応するため細長い形状となる。断面形状は特に限定するものではないが、要歩行支援者がガイド部を軽く把持して歩行の安定性を担保するものなので、ガイド部の全部又は上部が円形や楕円形等曲面形状を有し、かつ、表面が滑らかであることが好ましい。
【００１６】
ガイド部の高さは要歩行支援者の身長やテーブル天板等の高さに合わせて適宜決定される。ガイド部がテーブル天板より少し高い場合はテーブル上に載置された食器やトレーがテーブル外に転落することを防止できる一方、高すぎると飲食をする際に障害となる。
【００１７】
ガイド部は、要歩行支援者がガイド部を把持しやすいようにテーブル天板等の外周と一定間隔を隔てて配置される。テーブル天板が円形や楕円形の場合は天板外周と一定距離とせずに直線状とする方が移動方向に対して効率的に移動できるが、そうするとテーブル本来の使用をする際にガイド部が障害となる可能性がある。したがって、ガイド部はテーブル天板外周と一定距離を隔てて配置される。隔てる具体的な距離については、ガイド部を十分余裕をもって把持でき、かつ、天板外周から離れすぎない距離であることが必要である。
【００１８】
取付け部はガイド部をテーブル天板に固定するものであり、ガイド部の長さや向きに応じて必要な場所に必要数設置される。取付け部はガイド部の最下部から下方に湾曲又は折れ曲がってテーブル状設置物の天板の下面に連結する。「湾曲して」とは、例えば、略Ｕ字状でガイド部と天板下面を連結することを言い、「折れ曲がって」とは、例えば略横向きコの字やL字状で同様に連結することを言う。いずれも、ガイド部と天板の間の空間を深く確保するためである。
【００１９】
付属部材を介して連結するとは、例えば天板下面に垂れ幕状の金属部材を巡らせ、取付部材をその金属部材と連結するような場合を言う。天板下面に直接連結するよりも連結のための距離が縮まり取付部材の強度が高まるのみならず、付属部材により天板強度そのものも補強される。
【００２０】
又、本発明により、前記ガイド部は、外部掛止部材と連結可能な掛着部を形成すると共に前記移動方向に伸張可能な伸縮機構を有することを特徴とする移動サポート部材が提供される。  
【００２１】
外部掛止部材とは、例えば移動方向の延長線上に存在する又は設置した外部設置物に設けた突起物、有孔物、凹凸形状物等であり、それらとガイド部に形成した掛着部、すなわち孔、突起物、凹凸形状物等とが連結可能であることを意味するが、上記形状に限定されるものではない。
【００２２】
伸縮機構とは、例えば、ガイド部がパイプ状となっていて内部に径の小さなパイプ形状物が接続して格納されていて、移動方向に伸張させることが可能な構造（入れ子方式）を意味するが、それに限定されない。
【００２３】
又、本発明により、前記ガイド部は、前記外部掛止部材と連結可能な前記掛着部を形成すると共に前記ガイド部を前記移動方向と異なる方向に回動可能な回動機構を有し、かつ、前記ガイド部の一部又は前記ガイド部と前記取付け部との連結部は離着可能であることを特徴とする移動サポート部材が提供される。
【００２４】
本発明により、ガイド部を回動可能な構造とすることができる。例えば、テーブル天板の一辺に対応したガイド部を任意の部分で２分割し、いずれか一方の部分のガイド部を回動可能とすることができる。回動可能な構造としては、特に限定されるものではないが、例えば、ガイド部がテーブル外周の一辺に対応している場合に、ガイド部の端部とその他の部分を回動可能にピンで接続し、そのピンを支点としてその他の部分を回動させることが可能である。又、回動させる部分に伸縮機構を組み込むことも可能である。離着可能な構造としては、前記取付け部に緩締調整可能な歯部を設置しても良く、前記取付け部に突起物を設置し、かつ、前記ガイド部に凹部を形成し、突起物を凹部に挿抜可能な構造としても良い。
【００２５】
テーブル天板の一辺に対応したガイド部を任意の部分で３分割し、中央の部分を一方の端部とは回動可能とし、他方の端部とは離着可能とすることにより、ガイド部の中央部分を回動可能とすることもできる。中央部と他方の端部とは、例えば凹凸の組み合わせやピンの挿抜により離着可能な構造としても良いが、これらの構造に限定されるものではない。
【００２６】
又、本発明により、前記外周の複数辺に対応して設置された隣接する前記ガイド部の端部どうしが連結している場合に、前記端部どうしの連結部分が前記回動機構又は前記離着機構の少なくともいずれか１つの機構を有していることを特徴とする移動サポート部材が提供される。
【００２７】
ガイド部がテーブル外周の三辺に対応してコの字状に配置されている場合で、互いに接する２箇所の端部が連結されている場合、その連結されている一方の連結部を回動可能とし、他方の連結部を離着可能とすれば、間に挟まれている一辺に対応するガイド部はその一部ではなく、全長にわたり異なる方向に回動することができる。  
【００２８】
他の辺に対応するガイド部との連結部分のみを回動又は離着可能とする態様に限定されず、テーブル外周の他の辺に対応して配置されているガイド部との連結部を回動可能とし、当該ガイド部の中間位置で離着可能とすることやテーブル外周の他の辺に対応して配置されているガイド部との連結部を離着可能とし、当該ガイド部の中間位置で回動可能とすることも同様に可能である。
【００２９】
又、本発明により、前記回動機構において少なくとも１の回動機構は離着機構も併せて有し、かつ、前記離着機構において少なくとも１の離着機構は回動機構も併せて有することを特徴とする移動サポート部材が提供される。
【００３０】
ガイド部がテーブル外周の三辺に対応してコの字状に配置されている場合で、互いに接する２箇所の端部が連結されている場合、その２箇所の連結部がいずれも回動機構と離着機構を有していることにより、一方が回動機能を発揮しているときに他方は離着機能を発揮し、別の機会には機能を逆に入れ替えることも可能である。例えば、一方の連結部はピンで接続することにより回動機能を発揮し、一方の連結部はピンを抜くことで離着機能を発揮することが可能である。他の辺に対応するガイド部との連結部分のみでなく、テーブル天板の一辺に対応したガイド部を任意の部分で３分割し、中央の部分を一方の端部とは回動可能とし、他方の端部とは離着可能としたり、その逆にすることによって、ガイド部の中央部分を時計回り又は反時計回りのいずれか任意の回り方を選択して回動可能とすることもできる。
【発明の効果】
【００３１】
本発明により、屋内の中で近くに手すり設置が可能な壁が存在しない居間・食堂の中央部において、新たな重量物を設置したり、移動を補助する補助車を用いることなく、既存のテーブル状の設置物を利用することによって、要歩行支援者の移動をサポートすることができる。テーブルの天板の外周の方向を利用することによって、要歩行支援者が指向する方向に向かった移動のサポートをすることができる。移動方向に沿ったテーブル天板の外周の全長にわたってガイド部が設置されているため、要歩行支援者は、ガイド部から手を離すことなく安全に移動をサポートされる。これにより、本発明の目的である転倒防止の効果が漏れなく発揮できる。
【００３２】
又、前記取付け部は、前記ガイド部の最下部から下方に湾曲又は折れ曲がって前記天板の下面に直接又は前記天板下面に配設する付属部材を介して連結するので、要歩行支援者は、指先をガイド部の下側に掛けた状態で歩行することができる。本発明に係るガイド部を伝って歩行するときは、指の第一関節及び第二関節は深く屈曲して指先がガイド部の下側に接触しており、ガイド部が手の中に収まった状態なので、つまずき等で転倒しそうになった場合であってもとっさに指でガイド部を握ることによって姿勢を立て直すことができる。一方、指先がガイド部の側面中央部付近や上面付近にある場合には、関節の屈曲は浅く、又、ガイド部が手の中に収まっている状態ではないので、とっさにガイド部を把持しようとしても指先が滑ってしっかりと把持することができない。したがって、姿勢の崩れを立て直すことができず、転倒してしまう可能性が高い。
【００３３】
このように、ガイド部を伝いながら歩行をする場合に指先をガイド部のどこまで掛けることができるかということは極めて重要である。本発明により、転倒予防効果を大きく高めることができる
【００３４】
高齢者が夜間にトイレに行く場合等十分に覚醒していない状態で室内を歩行する場合は足元がふらつくことがあるが、そのような場合にも有効である。
【００３５】
テーブル天板と移動する方向にある歩行をサポートする設置物、例えば把持可能な家具や建具との間の距離が長い場合がある。このような場合、ガイド部を伸張し、家具や建具等としっかり連結することによって、外部の設置物に到達するまで歩行をサポートし転倒を予防することができる。
【００３６】
ガイド部の向きを変更可能とすることにより、固定されたテーブル等の外周方向と要歩行支援者が指向する移動方向が合致しない場合、様々な状況により定期・不定期に要歩行支援者が指向する移動方向が変わる場合等に適切にガイド部の配置を修正することができる。平面的な方向の変更のみでなく、ガイド部の高さと外部設置物に取付け可能な外部掛止部材の高さに差異がある場合にそれを調整する上下方向への変更も可能であり、それらを組み合わせた立体的な方向変更をすることもできる。ガイド部内部に伸縮機構を有している場合は、さらに様々な状況に対応可能となる。
【００３７】
隣接する辺に対応したガイド部と端部どうしを連結し、その連結部を支点に回動したり、その連結部から切り離ししたりすることによって、一辺に対応するガイド部を丸ごと回動させることができる。その結果、連結すべき外部設置物との距離が長い場合に有効である。特に、内部に伸縮機構を有している場合、内部に格納されている伸張部分の長さも長くすることができるので、更に有効である。
【００３８】
回動方向を任意に入れ替えることができ、要歩行支援者の希望変更に柔軟に対応できる。例えば従来と逆側に回動したい場合には、回動機能を発揮する連結部と離着機能を発揮する連結部を入れ替えることによって、容易に目的を達成することができる。
【図面の簡単な説明】
【００３９】
【図１】テーブル外周の一辺に移動サポート部材を取付けた状態を示す底面概念図である。
【図２】テーブル外周の全部に移動サポート部材を取付けた底面概念図である。
【図３Ａ】テーブル外周の全部に移動サポート部材を取付けた側面概念図である。
【図３Ｂ】テーブル外周の全部に移動サポート部材を取付けた正面概念図である。
【図４】テーブル外周の一辺に移動サポート部材を取付けた拡大側断面概念図である。
【図５】伸縮機構を有するガイド部を有する移動サポート部材を取付けた平面概念図である。
【図６】伸縮機構を有するガイド部を含めテーブル全周に移動サポート部材を取付けた平面概念図である。
【図７Ａ】伸縮機構を有するガイド部の伸張前の平面概念図である。
【図７Ｂ】伸縮機構を有するガイド部が伸張して外部設置物と連結した状態を示す平面概念図である。
【図８】伸縮機構を有するガイド部が２段伸張して外部設置物と連結した状態を示す側面概念図である。
【図９Ａ】テーブル外周の一辺に回動機構を有するガイド部を取付けた場合の回動前の状態を示す平面概念図である。
【図９Ｂ】テーブル外周の一辺に回動機構を有するガイド部を取付けた場合の回動中の状態を示す平面概念図である。
【図１０Ａ】他辺に対応するガイド部と連結したガイド部の回動前の状態を示す平面概念図である。
【図１０Ｂ】他辺に対応するガイド部と連結したガイド部の回動中の状態を示す平面概念図である。
【図１１Ａ】３辺に対応するガイド部を設置している場合に中央のガイド部の回動前の状態を示す平面概念図である。
【図１１Ｂ】３辺に対応するガイド部を設置している場合に中央のガイド部の回動中の状態を示す平面概念図である。
【図１２】回動機構及び離着機構の拡大平面概念図である。
【図１３Ａ】テーブル外周の一辺に回動機能と離着機能を併せ持つ機構を２つ設置した回動前の状態を示す平面概念図である。
【図１３Ｂ】テーブル外周の一辺に回動機能と離着機能を併せ持つ機構を２つ設置した時計回りに回動中の状態を示す平面概念図である。
【図１３Ｃ】テーブル外周の一辺に回動機能と離着機能を併せ持つ機構を２つ設置した反時計回りに回動中の状態を示す平面概念図である。
【発明を実施するための形態】
【００４０】
本発明に係る移動サポート部材について図面に基づいて詳細に説明する。
【００４１】
図１，図２，図３Ａ，図３Ｂ、図４に基づいて、本発明の基本態様を説明する。
図１は、移動サポート部材１００を四角いテーブルの天板４１０の一辺に対応させて配置した状態を示す概念図（底面図）である。ガイド部２００は天板外周４１１と一定距離を隔てており、天板４１０の下面に設置された天板付属板４２０と２箇所の取付け部３００で連結されている。
【００４２】
移動サポート部材１００は要歩行支援者の指向する移動方向に基づいて、テーブル天板外面の一定の部分に対応づけて配置されるため、四角いテーブルの場合一辺から四辺までの範囲で適宜選択される。丸や楕円形のテーブルの場合も同様に全周の中で必要な範囲で適宜選択される。図２は、四角形状のテーブル４００の外周すべてに移動サポート部材１００を配置した底面図である。天板付属板４２０は天板４１０の外周辺直下近辺に設置されるため、天板付属板４２０の上部にある天板４１０は本図では表示されない。
【００４３】
図２と同じ移動サポート部材１００に関する、図３Ａは側面概念図、図３Ｂは正面概念図である。取付け部３００は側面に２カ所、正面に１カ所設置されている。図３Ａ及び図３Ｂにおける左右端の実線と点線によって形成される円形形状は、表示されている側面又は正面のガイド部に直交する背後のガイド部の断面を示す。又、ガイド部断面の内側の点線は天板外周４１１を示す。
【００４４】
図４は、ガイド部２００とテーブル下面に取付けられた天板付属板４２０が取付け部３００によって連結されている状態の拡大図である。本図では、ガイド部２００は鉄パイプであり、取付け部３００は先端にねじ切りを行なった丸棒である。ガイド部２００と取付け部３００とは溶接により接合されている。天板付属板４２０はＬ字形状の鉄製部材で、天板下面４１２とは付属板固定用ボルト４２１で固定され、取付け部３００とは外側の垂直部分において取付け部固定用ナット３０１により連結されている。
【００４５】
ガイド部２００は要歩行支援者が把持しやすいように、表面は滑らかで、断面は丸みを帯びた形状であることが好ましい。断面が円形の場合、把持容易の観点から直径は３ｃｍ程度が好ましい。断面は角部が丸みを帯びた正三角形のような形状であっても良い。この場合、要歩行支援者が体勢を崩したときに三角形の下部角部に指先が掛かり、身体を支えやすくなる効果がある。
【００４６】
ガイド部２００と天板外周４１１との間隔は、テーブルで円滑に食事をするためにガイド部２００の存在が障害にならないようにとの観点及び要歩行支援者が体勢を崩した場合にその体重を支えるために取付け部の長さは極力短くして強度を確保する必要があるとの観点から、できるだけ狭い方が好ましい。又、一般に、食事をする際の姿勢の点から、体とテーブルの間は握りこぶし１つ程度空けることが好ましく、あまり間隔を空けると猫背になりやすいと言われている。
これらの点から、ガイド部２００と天板外周４１１との間隔は、ガイド部自体の直径にもよるが、１０ｃｍ以下が好ましく、６ｃｍ以下がより好ましいと考えられる。
一方、ガイド部２００と天板外周４１１との間隔が狭くなり過ぎると要歩行支援者の指が天板外周に接触してガイド部２００を把持しにくくなるため、ガイド部２００と天板外周４１１とは３ｃｍ以上の間隔を確保する必要があり、４ｃｍ以上の間隔を確保することが好ましい。
【００４７】
ガイド部の高さは、要歩行支援者の身長、テーブル天板の高さにより、選択され、規制される。天板高さとの関係では、テーブルで食事や読書等を行なうことを考慮すると、天板高さより少し高いか同程度以下であることが好ましい。
【００４８】
取付け部３００は、ガイド部の最下部から略垂直に下がった後に天板外周４１１に向かって略水平に折れ曲がるＬ字状、ガイド部の最下部からやや下方に傾斜したＣ字状、ガイド部の最下部から略垂直に伸びた後に湾曲して上昇するＵ字状等の形状を呈し、ガイド部最下部からいったん下方に伸びた後に天板外周４１１の方向に向かい、天板下面４１２又は天板付属板４２０と連結する。取付け部３００の垂直方向への長さ（高さ）は、要歩行支援者のガイド部を把持する手の指先が取付け部３００の天板外周４１１方向に伸びる部分に接触しないような長さ（高さ）以上であることが好ましい。一方、移動サポート部材１００の強度の観点から取付け部３００のガイド部２００から天板下面４１２又は天板付属板４２０方向に伸びる部分の長さはできるだけ短いことが好ましい。この点から、取付け部３００の形状は、Ｌ字状であり、かつ、天板付属板４２０と連結する態様がより好ましいが、天板４１０と移動サポート部材１００との高さ関係等の条件もあり、これに限定されるものではない。
【００４９】
なお、上記、ガイド部２００、取付け部３００、天板付属板４２０の素材、形状、寸法、連結方法は一例である。上述のように、ガイド部２００と天板外周４１１との好ましい間隔はガイド部２００自体の太さや要歩行支援者の身体的な条件により異なり、双方の好ましい高さの関係もテーブルの主な用途が食事か読書か等により異なる。いずれも記載した好ましい態様に限定されるものではない。
【００５０】
次に、内部に伸縮機構２１０を有する移動サポート部材１００について、図５，図６，図７Ａ，図７Ｂ，図８に基づいて説明する。伸縮機構はパイプ状のガイド部内部に細径のパイプ又は棒状物を格納する入れ子構造による伸縮機構となっており、細径のパイプには更に細径のパイプを内蔵する多重構造となっている場合もある。
図５は、内部にパイプ状のガイド部２００の内径より径の小さな延長ガイド部２１１を内蔵する伸縮機構２１０を有した移動サポート部材１００の図で、延長ガイド部２１１は点線で示されている。延長ガイド部２１１は引き出し・収納を円滑に行なうため、ガイド部２００の内部に形成したレール、溝等に載置、嵌合されていることが好ましいが本図では省略している。
図６では、移動サポート部材１００を４辺全体に配置し、平行する２辺の内部に伸縮機構２１０を設けている。要歩行支援者の要求に基づき、延長ガイド部２１１は図面上方の右横方向及び図面下方の左横方向に伸張可能となっている。
【００５１】
図７Ａ及び図７Ｂは、延長前後のガイド部２００と延長方向の外部設置物５００、外部掛止部材５１０を示している。外部設置物５００とは、例えば壁、柱のような固定物であり、一定の大きさや重量を有する家具も含まれる。外部掛止部材５１０とは外部設置物５００に固定され、延長ガイド部の先端に設けられた先端掛着部２１２と掛着可能な部材を言う。本図では延長ガイド部２１１と外部掛止部材５１０は同じ高さとなっているが、外部設置物５００の形状等による制約から同じ高さにできない場合は、本発明に係る回動機構を用いることにより対応することができる。
【００５２】
先端掛着部２１２と外部掛止部材５１０との掛着の仕組みは特に限定あれるものではないが、脱落防止手段により結合が解けないロック状態とアンロック状態とを選択できるようにすることが好ましい。掛着後要歩行支援者が移動サポート部材を利用して移動している時に延長ガイド部２１１が脱落すると骨折等の重大事故につながるおそれがあるからである。脱落防止手段としては、例えば延長ガイド部２１１の先端に設けた先端掛着部２１２と受け側の外部掛止部材５１０が鍵と鍵穴のように嵌合可能で延長ガイド部を回転することによって、脱落を防止するようにしても良い。
【００５３】
要歩行支援者が安心して使用するために、ロック状態になった場合には先端掛着部２１２や外部掛止部材５１０に青色の表示が示され、アンロック状態の場合は赤色の表示が示される等掛着のロック状態を容易に確認できるようにすることが好ましい。
【００５４】
図８は延長ガイド部が、収納される細径パイプ２１１と細径パイプの中に収納されるさらに細径のパイプ２１１−２の２重のパイプで構成され、それらの２段階にわたる伸張により、より遠い外部設置物と連結している状態を示している。延長ガイド部が全体に長くなることによるガイド部の要歩行支援者支持強度の低下を防止するため、延長ガイド部全体の略中央部に延長ガイド部支持材２１３が設けられている。ただし、延長ガイド部を２段階とする場合に延長支持材２１３を設置する構成に限定しているわけではない。又、より遠い外部設置物と連結するためには、ガイド部の長さそのものを天板外周の辺の全長を超えた長尺のガイド部としたり、当該長尺のガイド部の中に延長ガイド部を収納しても良い。
【００５５】
次に、内部に回動機構２２０又は部離着機構２３０を有する移動サポート部材１００について、図９Ａ，図９Ｂ，図１２に基づいて説明する。
図９Ａでは、移動サポート部材１００が天板４１０の１辺に対応して配置されている場合において、ガイド部２００は左ガイド部、中央ガイド部、右ガイド部に３分割され、左ガイド部と中央ガイド部との連結部分には回動部材２２１による回動機構２２０が備えられ、右ガイド部と中央ガイド部との連結部分には離着部材２３１による離着機構２３０が備えられている。回動機構２２０及び離着機構２３０は働いておらず、ガイド部中央部は両端部分とつながって全体で直線形状を呈している。中央ガイド部の先端掛着部２１２は図示していない。図９Ｂでは、回動機構２２０及び離着機構が働き、ガイド中央部は時計回りに回動している。
【００５６】
図１２に基づいて回動機構及び離着機構の仕組みについて説明する。回動機構２２０は、回動部材２２１と横回動用垂直ピン２２２と縦回動用水平ピン２２３と回動用先端凹部２２４及び左ガイド部（図１２では右側）先端に形成された水平溝により構成されている。回動部材２２１の中央部（点線及び実線で表示）は左ガイド部先端の水平溝に嵌合し、横回動用垂直ピン（点線で表示）２２２を中心軸として水平に回動可能となっている。回動部材２２１の突起部は中央ガイド部に形成された回動用先端凹部に嵌合し、縦回動用水平ピンを中心軸として垂直に回動可能となっている。
【００５７】
離着機構２３０は、右ガイド部（図示していない）に接合された略Ｕ字形状の離着部材２３１と、離着部材の底に形成した傾斜部２３２と離着用先端凸部２３３により構成されている。離着用先端凸部２３３は離着部材２３１の凹部に嵌合するが、離着部材とは固定されておらず縦方向への移動は自在となっている。ただし、傾斜部２３２により離着部材２３１より下方への移動はできず、通常は離着部材２３１の凹部に嵌合した状態となっている。
【００５８】
要歩行支援者の必要性に応じて、中央ガイド部を離着機構により右ガイド部から離脱させ、回動機構により左ガイド部に対して所望の縦及び横方向に回動させることができる。なお、回動機構及び離着機構の構成は上記の構成に限定されるものではない。例えば、フレキシブルに方向を変えることができる継手を用いても良い。回動又は離着する部分の外側部分（端部）には端部のぐらつきを防止するため、複数の取付け部を設けることが好ましい。
【００５９】
次に、複数辺に対応した隣接する複数のガイド部が連結されている場合に、連結部分に回動機構２２０又は離着機構２３０を設置した移動サポート部材１００について、図１０Ａ，図１０Ｂ，図１１Ａ，図１１Ｂに基づいて説明する。
図１０Ａでは２辺に対応して移動サポート部材１００が設置されている。両ガイド部の端部は連結されていて、連結部には回動機構２２０が備えられている。図１０Ａは回動前の状態を示す。左側のガイド部２００は離着可能な取付け部３００と連結している。ガイド部と取付け部の離着方法は特に限定されない。図１０Ｂでは、回動機構２２０及び離着機構２３０が働き、左側のガイド部全体は時計回りに回動している。
【００６０】
図１１Ａでは３辺に対応して移動サポート部材１００が設置されている。中央のガイド部は上部ガイド部及び下部ガイド部と端部で連結されている。中央ガイド部と上部ガイド部との連結部分には回動機構２２０が備えられ、中央ガイド部と下部ガイド部との連結部分には離着機構２３０が備えられている。又、中央ガイド部と連結している取付け部は離着可能である。図１１Ｂでは回動機構２２０及び離着機構２３０が働き、中央のガイド部全体は時計回りに回動している。一辺のガイド部が丸ごと回動するため、より遠い地点まで回動することができる。上述の伸縮機構と組み合わせれば、さらに遠い、異なる方向の地点までガイド部を到達させることが可能となる。また、端部どうしを連結させればガイド部は互いに支え合うこととなり強度を増すことができる。天板の長さによっては取付け部を一部省略することも可能である。
【００６１】
次に、回動機構が離着機構を有し、かつ、離着機構が回動機構を有する移動サポート部材１００について、図１３Ａ，図１３Ｂ、図１３Ｃに基づいて説明する。図１３Ａは回動機構と離着機構を併せ持つ機構を２カ所に有している移動サポート部材１００の回動前の状態を示す。回動機構と離着機構を併せ持つ機構は特に限定されるものではないが、例えば、上述の回動機構において縦回転用水平ピンを挿脱自在としても良い。
図１３Ｂは左側の機構を働かせ、右側の機構により中央部を離脱させて、中央部を時計回りに回動させた状態を示す。図１３Ｃは逆に反時計回りに回動させた状態を示す。
要歩行支援者の要求に応じて移動サポート部材による移動方向の変更を機敏に行なうことができる。
【産業上の利用可能性】
【００６２】
本発明は、要歩行支援者の屋内外における移動を支援し、身体の安全性を確保すると共に生活の質を向上させうる技術であり、産業上の利用可能性が高い。
【符号の説明】
【００６３】
１００      移動サポート部材  
２００      ガイド部
２１０      伸縮機構
２１１      延長ガイド部
２１１−２  ２段目延長ガイド部
２１２      先端掛着部
２１３      延長ガイド部支持材
２２０      回動機構
２２１      回動部材
２２２      横回動用垂直ピン
２２３      縦回動用水平ピン
２２４      回動用先端凹部
２３０      離着機構
２３１      離着部材
２３２      傾斜部
２３３      離着用先端凸部
３００      取付け部
３０１      取付け部固定用ナット
３１０      取付け部離着機構
４００      テーブル
４１０      天板
４１１      天板外周
４１２      天板下面
４２０      天板付属板
４２１      付属板固定用ボルト
４３０      テーブル脚
５００      外部設置物
５１０      外部掛止部材
６００      外部手すり
【図１】
2019216952.tif 000003
【図２】
2019216952.tif 000004
【図３Ａ】
2019216952.tif 000005
【図３Ｂ】
2019216952.tif 000006
【図４】
2019216952.tif 000007
【図５】
2019216952.tif 000008
【図６】
2019216952.tif 000009
【図７Ａ】
2019216952.tif 000010
【図７Ｂ】
2019216952.tif 000011
【図８】
2019216952.tif 000012
【図９Ａ】
2019216952.tif 000013
【図９Ｂ】
2019216952.tif 000014
【図１０Ａ】
2019216952.tif 000015
【図１０Ｂ】
2019216952.tif 000016
【図１１Ａ】
2019216952.tif 000017
【図１１Ｂ】
2019216952.tif 000018
【図１２】
2019216952.tif 000019
【図１３Ａ】
2019216952.tif 000020
【図１３Ｂ】
2019216952.tif 000021
【図１３Ｃ】
2019216952.tif 000022